(57)【要約】  【課題】  ラックレールに対する昇降機の着脱を容易にすること。  【解決手段】  ラックレール２は、断面略コ字状の一対の形鋼６，６と、これらを突き合わせて相互間を結合する多数のラックピン７とで構成する。昇降機３はキャスター１３で移動でき、ラックレール２に着脱自在で、取付状態においてラックピン７に駆動ギア４を噛み合わせると共に上下のガイドローラ５，５を形鋼６の対向片６ａに係合させる。ガイドローラ５は、フレーム杆８に固定された取付片１６に水平方向に回転自在に枢支された支持片１７に設ける。取付片１６及び支持片１７には係止ピン１８が抜き差し可能である。昇降機３をラックレール２に向けて押し進めると、ガイドローラ５が枢軸を中心に回転変位するので、ラックレール２の対向片７ａによって移動を妨げられることなく、形鋼６内に配置できる。そして、挿通孔１６ａ，１７ａに係止ピン１８を差し込めば、ガイドローラ５を固定できる。【選択図】  図３
2007076771.tif 000002
【特許請求の範囲】
【請求項１】
構築物に縦方向に設けられたラックレールと、このラックレールに対して着脱可能で、ラックレールに駆動ギアを噛み合わせると共にガイドローラを係合させて取り付けられ、ガイドローラがラックレールの走行面を転動しながらラックレールに沿って昇降する昇降機とを具備する昇降装置であって、
前記ガイドローラは、昇降機をラックレールに取り付ける際のラックレールとの干渉を回避するように変位可能に支持される一方、前記ラックレールへの係合位置で固定されることを特徴とするに記載の昇降装置。
【請求項２】
前記ガイドローラを軸支して昇降機に回転可能に枢支される支持片と、この支持片に挿通され昇降機に係合する係止ピンとを具備することを特徴とする請求項１に記載の昇降装置。
【請求項３】
前記ラックレールは、少なくとも前記ガイドローラとの係合面とこれに直交する結合面とを有する一対のレール材と、
これらレール材の結合面同士を結合すると共に、前記駆動ギアと噛み合うようにレール材の長手方向に多数列設されたラックピンとを具備することを特徴とする請求項１又は２のいずれかに記載の昇降装置。
【請求項４】
前記昇降機は移動用キャスターを有することを特徴とする請求項１乃至３のいずれかに記載の昇降装置。
【発明の詳細な説明】
【技術分野】
【０００１】
本発明は、構築物に予め取り付けられているラックレールに沿って昇降機を昇降させ、作業者又は資材等を運搬する簡易型の昇降装置に関するものである。
【背景技術】
【０００２】
従来、可搬型の昇降機は、ラックレールをＨ形鋼で構成し、ウェブに昇降機の駆動ギアが噛み合う縦方向の多数の係合孔を設け、フランジに昇降機のガイドローラを転動自在に係合させている。ラックレールへの装着、取り外しの際に、ラックレールとの係合部分が干渉し合うため、例えば特許文献１に記載の昇降装置のように、ラックレールの下部に、昇降機の駆動ギアとガイドローラを前後方向に通過させる切欠部を設けている。
【特許文献１】特開２００３−１７１０９２号公報
【発明の開示】
【発明が解決しようとする課題】
【０００３】
上記従来の昇降装置は、ラックレールの所定位置に切欠部を設ける加工を施さなければならないし、ラックレールに対して昇降機を着脱する際に、重量のある昇降機をラックレールの切欠部の高さ位置まで持ち上げた状態で切欠部と昇降機の駆動ギア及びガイドローラとを合致させる位置合わせを行うため、作業が容易でないという問題がある。また、ラックレールをＨ形鋼で構成するので大重量になるし、係合孔と切欠部を設ける加工工程が必要になる。
従って、この発明は、ラックレールに特別な加工を施すことなく、レールへ昇降機を容易に装着し、また取り外しすることができ、さらにラックレールを簡易な構成にし、軽量化すると共に容易に製造でき、安価に提供することができる昇降装置を提供することを課題としている。
【課題を解決するための手段】
【０００４】
上記課題を解決するため、第１の発明においては、構築物にラックレール２を縦方向に設け、このラックレール２に対して着脱可能で、ラックレール２に駆動ギア４を噛み合わせると共にガイドローラ５を係合させて昇降機３を取り付け、ガイドローラ５がラックレール２の走行面を転動しながらラックレール２に沿って昇降機３を昇降させるように昇降装置１を構成する。昇降機３をラックレール２に取り付ける際のラックレール２との干渉を回避するためにガイドローラ５を変位可能に支持する一方、ラックレール２への係合位置で固定されるように構成した。
第２の発明においては、ガイドローラ５を軸支する支持片１７を昇降機３に回転可能に枢支し、この支持片１７に係止ピン１８を挿通して昇降機３に固定するように構成した。
第３の発明においては、一対のレール材６に少なくともガイドローラとの係合面とこれに直交する結合面とをそれぞれ設け、これらレール材６の結合面同士を長手方向に多数列設されたラックピン７で結合し、このラックピン７に駆動ギア４を噛み合わせるようにラックレール２を構成した。
第４の発明においては、昇降機に移動用キャスター１３を設けた。
【発明の効果】
【０００５】
本発明においては、ラックレール側に昇降機を着脱するための切欠部等を設けないから、従来のラックレールの加工工程を省くことができ、安価に提供でき、また昇降機をラックレールに取り付ける際にガイドローラがラックレールとの干渉位置から退避するので、昇降機の着脱作業を容易に行うことができるし、昇降機の取り付け位置でガイドローラがフランジに係合して確実に固定されるので、昇降機を確実に取り付けることができる。
ガイドローラを昇降機に回転可能に枢支される支持片で軸支し、この支持片を係止ピンで固定することにより、ガイドローラの変位、固定動作を実現できる。
ガイドローラとの係合面とこれに直交する結合面とを持つ一対のレール材の結合面同士を、駆動ギアと噛み合うラックピンにより結合してラックレールを構成すれば、ラックレールを簡易に構成でき加工が容易になるし、軽量化でき、さらに安価に提供できる。
昇降機に移動用キャスターを設ければ、運搬作業が楽になるし、ラックレールに対する脱着作業も容易になるという効果を有する。
【発明を実施するための最良の形態】
【０００６】
図面を参照して本発明の実施の形態を説明する。
図１，図２において、昇降装置１は、ラックレール２と昇降機３とを具備する。ラックレール２は、鉄塔のような構築物に沿って縦方向に固定される。昇降機３は可搬型で、ラックレール２に着脱自在で、取付状態においてラックレール２に駆動ギア４を噛み合わせると共に上下のガイドローラ５，５をラックレール２に係合させて昇降する。
【０００７】
ラックレール２は、内側に係合面を有する一対の対向片６ａとこれに直角に連続する結合面を有する結合片６ｂをそれぞれ備えた断面略コ字状の一対のレール材である形鋼６，６と、これら形鋼６，６の結合片６ｂ，６ｂ同士を突き合わせて相互間を結合するように長手方向に並べて打ち込んだ多数のラックピン７とで構成されている。ラックピン７は、駆動ギア４が噛み合うように縦方向に等間隔に設けられている。形鋼６の対向片６ａの一方には、ガイドローラ５が昇降機３本体と反対側から転動自在に係合する。
【０００８】
昇降機３は、縦方向に伸びた一対のフレーム杆８と、搭乗者が乗るためにフレーム杆８の下部に水平に固定されたステップ９と、このステップ９から立ち上がって後方へ湾曲しつつ伸びる支持杆に固定されたサドル１０と、フレーム杆８の上部に設けられた手摺り兼用の開閉可能な安全柵１１とを有する。安全柵１１の前部には操作ボックス１２が固定されている。フレーム杆８の下端には運搬用キャスター１３がそれぞれ設けられている。ステップ９の下部には駆動部１４が設けられる。駆動部１４には、動力源であるＡＣモータにつながる駆動ギア４と、これに隣接するクラッチブレーキ１５とを備えている。フレーム杆８の下部における駆動ギア４の両側位置にはラックレール２のラックピン７に係合する下部ガイドローラ５を有する。フレーム杆８の上部における安全柵１１の高さ位置には同じくラックレール２のラックピン７に係合する上部ガイドローラ５を有する。
【０００９】
図２，図３に示すように、ガイドローラ５は、フレーム杆８に水平に固定された取付片１６に対して水平方向に回転自在に枢支された支持片１７に設けられている。取付片１６及び支持片１７には抜け落ち防止用頭部付きの係止ピン１８が抜き差し可能な挿通孔１６ａ，１７ａを有する。挿通孔１７ａは形鋼６の対向片６ａにガイドローラ５を係合させる対応位置に設けられている。従って、ガイドローラ５は、取付片１６に対して水平方向に変位することができる一方、係止ピン１８を挿通孔１６ａ，１７ａに差し込めば固定できる。
【００１０】
この昇降装置１において昇降機３はキャスター１３で容易に移動させることができ、ラックレール２に昇降機３を取り付けるには、昇降機３の前部をラックレール２に向けて押し進める。このとき、ラックレール２に昇降機３を据え付ける途上で、ラックレール２の対向片６ａに昇降機３のガイドローラ５が干渉することとなるが、枢軸を中心にガイドローラ５が回転変位するので、ガイドローラ５がラックレール２の対向片７ａによって移動を妨げられることなく、形鋼６内に配置できる。この後、挿通孔１６ａ，１７ａに係止ピン１８を差し込んで貫通させれば、取付片１６に支持片１７が固定されるので、ガイドローラ５を形鋼６の対向片６ａに係合する位置で固定できる。昇降機３をラックレール２側へ押し込んだとき、駆動ギア４がラックレール２のラックピン７を噛み込む。そして、作業者が安全柵１１を開けてステップ９上に乗り込みサドル１０に座った状態で、操作ボックス１２を操作してＡＣモータを稼働させれば、昇降機３を上昇移動させることができる。昇降機３をラックレール２から取り外すには、昇降機３をラックレール２の下端部に降ろしてから、係止ピン１８を挿通孔１６ａ，１７ａから抜き取れば、取付片１６に対して支持片１７を自由に回転変位できるので、この状態でキャスター１３で昇降機３をラックレール２から引き離せば、ガイドローラ５の移動が形鋼６の対向片６ａに妨げられることなく難なく鋼材６からガイドローラ５を引き出すことができる。
【産業上の利用可能性】
【００１１】
本発明は、構築物に設置されたラックレールに沿って昇降し、作業員や資材等を運搬する昇降機をラックレールに対して容易に着脱するのに有効である。
【図面の簡単な説明】
【００１２】
【図１】本発明に係る昇降装置の正面図である。
【図２】昇降装置の側面図である。
【図３】（Ａ）はガイドローラをフリーにした状態の昇降装置の平面図、（Ｂ）はガイドローラを固定した状態の昇降装置の平面図である。
【符号の説明】
【００１３】
１    昇降装置
２    ラックレール
３    昇降機
４    駆動ギア
５    ガイドローラ
６    形鋼
６ａ  対向片
６ｂ  結合片
７    ラックピン
８    フレーム杆
９    ステップ
１２    操作ボックス
１３    キャスター
１６    取付片
１６ａ  挿通孔
１７    支持片
１８    係止ピン
【図１】
2007076771.tif 000003
【図２】
2007076771.tif 000004
【図３】
2007076771.tif 000005